(57)【要約】【課題】電気機器のコードの一端（プラグ）が反動で軟い鞭のように撓うことにより前記コードを順調に巻戻すことができないという不都合がある。【解決手段】電気機器は、ハウジングと、前記ハウジング内に格納された電気機構と、その一端にはプラグが付けられており、前記電気機構に電気的に接続され前記ハウジング内に巻き取られ格納するコードと、前記ハウジングに設けられ、リール機構をそなえるコード巻取り装置と、前記ハウジング内に移動可能、また前記リール機構の回転を一時停止できるように前記リール機構に係止・脱離できるように制御する制御手段とからなり、前記ハウジングは、前記制御手段の近くに少なくとも一つの差込口が設けられ、前記差込口へ前記プラグが嵌挿され、前記プラグが前記制御手段を押圧しながら、前記制御手段を前記リール機構から脱離させ、前記リール機構によって前記コードを制御されながら巻き取る。【選択図】図２
2005272104.tif 000002
【特許請求の範囲】
【請求項１】
電気機器のその一端にプラグが付けられているコードを巻き取る装置であって、
ハウジングと、
前記ハウジングに設けられ、渦巻ばねの付勢力を利用してコードを巻取るためのリール機構をそなえる巻取り手段と、
前記ハウジング内に移動可能、また前記リール機構の回転を一時停止できるように前記リール機構に係止・脱離可能になるように制御する制御手段とをそなえ、
前記ハウジングは、前記制御手段近くに少なくとも一つの差込口が設けられ、
前記コードのプラグが前記差込口へ嵌挿され、前記プラグによって前記制御手段を押圧しながら、前記制御手段を前記リール機構から脱離させ、前記リール機構によって前記コードを制御しながら巻き取ることを特徴とするコード巻取り装置。
【請求項２】
ハウジングと、
前記ハウジング内に格納された電気機構と、
その一端にはプラグが付けられており、前記電気機構に電気的に接続され前記ハウジング内に巻き取られ格納するコードと、
前記ハウジングに設けられ、リール機構をそなえるコード巻取り装置と、
前記ハウジング内に移動可能、また前記リール機構の回転を一時停止できるように前記リール機構に係止・脱離できるように制御する制御手段とからなり、
前記ハウジングは、前記制御手段の近くに少なくとも一つの差込口が設けられ、
前記差込口へ前記プラグが嵌挿され、前記プラグが前記制御手段を押圧しながら、前記制御手段を前記リール機構から脱離させ、前記リール機構によって前記コードを制御されながら巻き取ることを特徴とする電気機器。
【請求項３】
前記制御手段には、リール機構の回転を制限するためのラッチユニット及び弾性バイアス力を付与する弾性手段をそなえ、
前記ラッチユニットには、
前記リール機構に係止脱離可能な係止端と、
該係止端と反対側に前記差込口に面する押圧端と、
前記係止端及び前記押圧端を相互接続する中間部とからなり、
前記係止端及び押圧端は、前記中間部の両端から前記中間部に対して互いに反対の方向にそれぞれ外向きに突出し、前記係止端は前記リール機構の方へ延伸して前記リール機構に係止し、前記押圧端は前記差込口の真下になるよう延伸してなることを特徴とする請求項２に記載の電気機器。
【請求項４】
前記ハウジングには、接合部分を設け、
該接合部分には、ソケット部材が設けられ、
前記差込口は前記ソケット部材に設けられていることを特徴とする請求項２に記載の電気機器。
【請求項５】
前記接合部分には、取付孔が切り込まれ形成され、
前記ソケット部材は前記取付孔に嵌設されていることを特徴とする請求項４に記載の電気機器。
【請求項６】
前記ソケット部材は前記接合部分と一体になるように設けられていることを特徴とする請求項４に記載の電気機器。
【請求項７】
前記ソケット部材は、前記接合部分より出っ張らない上面と該上面の周縁から連続的に突出して前記コードのプラグを前記差込口に差込んで入る空間を画成する周壁部とから形成されていることを特徴とする請求項５に記載の電気機器。
【請求項８】
前記ソケット部材の周壁部には、前記ハウジングに係止するための係止手段が設けられていることを特徴とする請求項７に記載の電気機器。
【請求項９】
ハウジングと、該ハウジングに設けられ、その一端にプラグが付けられているコードを渦巻ばねの付勢力を利用して巻き取るためのリール機構と、前記リール機構を係止させ該リール機構の回転を一時停止させるよう制御する制御手段とから構成されている電気機器のコードを巻き取る方法であって、
前記ハウジングに差込口を設け、
該差込口に前記プラグを嵌挿し、前記制御手段を押圧しながら、前記制御手段を前記リール機構から脱離させると、該リール機構によって前記コードを巻き取ることを特徴とする電気機器のコード巻取り方法。
【発明の詳細な説明】
【技術分野】
【０００１】
本発明は、電気機器に関するものであり、特に、コード巻取り装置をそなえた電気機器及び該電気機器のコードを巻き取る方法である。
【背景技術】
【０００２】
従来、例えばアイロンなどでコード巻取り装置をそなえた電気機器1は、図１に示されているように、ハウジング１１と、その一端にプラグ１２１を有するコード１２と、前記ハウジング１１内に配置され前記コード１２を進退可能に格納する巻取りユニット（図示せず）と、前記ハウジング１１に設けられ前記巻取りユニットのコード巻取りを制御するためのプッシュ部材１４とから構成されている。前記ハウジング１１に、その口径が前記コード１２のプラグ部１２１より径小で該プラグ１２１を常時外に突出した状態で引っかかると共にコード１２が進退可能な出入口１１１が設けられている。
【０００３】
上記従来の電気機器１によると、前記コード１２を前記ハウジング１１の出入口１１１を介して該ハウジング１１１外に所要の長さまで引出し、前記コード１２のプラグ１２１を外部の電源のコンセントに差込み使用される。前記電気機器１を使用した後、前記コンセントから前記プラグ１２を抜き、前記コード巻き取りユニットを作動させるよう片手で前記プッシュ部材１４を押しながら、前記コード１２を前記出入口１１１へ該プラグ１２１は外に突出した状態で前記ハウジング内に巻戻す。
【発明の開示】
【発明が解決しようとする課題】
【０００４】
このように、電気機器の使用後に前記コードをコンパクトに収納することができる。しかし、前記コード１２を巻戻すときは、他の片手で前記コード１２のプラグ１２１を持たないで片手で前記プッシュ部材１４を押すと、出入口１１１の一端から強く扱かれるため、コード１２の一端（プラグ）が反動で軟い鞭のように撓うことにより前記コード１２を順調に巻戻すことができないという不都合がある。
【０００５】
そこで、本発明は、電気機器のコードをスムーズに収納可能なコード巻取り装置をそなえる電気機器及び該電気機器のコードの巻取り方法を提供することを目的とする。
【課題を解決するための手段】
【０００６】
本発明は、前記目的を達成するために、ハウジングと、巻取り手段と、制御手段とからなる電気機器のコードを巻取る装置を提供しようとするものである。前記コードは、その一端にプラグが付けられている。前記巻取り手段は前記ハウジングに設けられ、渦巻ばねの付勢力を利用してコードを巻取るためのリール機構をそなえる。前記制御手段は、前記ハウジング内に移動可能、また前記リール機構の回転を一時停止できるように前記リール機構に係止・脱離可能なラッチユニットをそなえる。前記ハウジングは、前記制御手段のラッチユニット近くに少なくとも一つの差込口が設けられ、前記差込口へ前記プラグが嵌挿され、前記プラグが前記ラッチユニットを押圧しながら、前記ラッチユニットを前記リール機構から脱離させ、前記リール機構によって前記コードを制御しながら巻き取るように構成する。
【０００７】
また、本発明は、他の観点によれば、ハウジングと、前記ハウジング内に格納された電気機構と、コードと、コード巻取り装置と、制御手段とからなっている電気機器を提供しようとするものである。前記巻取り装置は前記ハウジングに設けられ、リール機構をそなえる。前記コードは前記電気機構に電気的に接続され、前記リール機構内に格納される。前記コードの一端にはプラグが付けられている。前記制御手段は前記ハウジング内移動可能、また前記リール機構の回転を一時停止できるように前記リール機構に係止・脱離可能に設けられる。前記ハウジングは、前記制御手段の近くに少なくとも一つの差込口が設けられ、前記差込口へ前記プラグが嵌挿され、前記プラグが前記制御手段を押圧しながら、前記制御手段を前記リール機構から脱離させ、前記リール機構によって前記コードを制御されながら巻き取るように構成する。
【０００８】
また、本発明は、他の観点によれば、電気機器のコードを巻き取る方法を提供しようとするものである。該電気機器は、ハウジングと、該ハウジングに設けられ、その一端にプラグが付けられているコードを渦巻ばねの付勢力を利用して巻き取るためのリール機構と、前記リール機構を係止させ該リール機構の回転を一時停止させるよう制御する制御手段とから構成されている。該方法によれば、前記ハウジングに差込口を設け、該差込口に前記プラグを嵌挿し、前記制御手段を押圧しながら、前記制御手段を前記リール機構から脱離させると、該リール機構によって前記コードを巻き取ることができる。
【発明の効果】
【０００９】
本発明の電気機器によれば、前記コードのプラグをハウジングに設けられた差込口に嵌挿しながら前記コードを巻き取り格納することができるので、従来の問題点を解決することができ、利用効果が向上された電気機器を提供することができる。
【発明を実施するための最良の形態】
【００１０】
以下、本発明の実施例について、添付図面に基づいて説明する。なお、同一機能をもつ構成要素に同一番号を付与して説明を省略する。
【００１１】
第１の実施例．
図２から図４に示すように、第１の実施例にかかる電気機器は、その前部２１に電気機構（図示せず）を格納しているハウジング２及び該ハウジング２の後部２２に取り付けられて前記電気機構に送電するための電気コード３４５を巻き取り格納するコード巻取り装置３をそなえる。この実施例において、電気機器として電気アイロンを例示するが、例えば電気掃除機、コーヒーメーカー、料理用電気器具なども適用され、勿論、前記コード巻取り装置は電気機器によってその形状や配置位置に制限されない。
【００１２】
前記ハウジング２の前部２１は、図３に示されているように、その後端の周縁から一体状に突出形成された周壁部２１０を有する。前記後部２２は中空カップ状にその後端面の平板部２２ａと該平板部２２ａの周縁から一体突出している周壁部２２０とよりなる。前記前部２１は、前記周壁部２１０が前記周壁部２２０前縁に重なって前記後部２２に覆われることにより該後部２２と共に前記コード巻取り装置３を収容する収容部を形成する。前記周壁部２１０と２２０とから接合部分２０を形成している。また、前記前部２１の後側の前記周壁部２１０に切欠き２１１が切り込まれ、前記後部２２に前記周壁部２２０より切り込んで切欠き２２１が形成され、前記切欠き２１１と２２１とにより取付孔２０１が形成される（図２、４参照）。前記後部２２の周壁部２２０には、コード３４５が進退可能な前記コード３４５のプラグ３４９のサイズより小さな出入口２２２が設けられている。仕切板３２が、前記前部２１と前記後部２２との間に介在するように前記後部２２に例えばねじ締めの方法により固定され、その上端に図示のように前部２１向きに張り出したブラケット３２１が設けられ、該ブラケット３２１の上縁に向かい合せに２つの突耳３２２、３２２が設けられ、該ブラケット３２１の真下に弾性手段であるばね３４４を配置しているばね座３２３が設けられている。前記後部２２は、前記仕切板３２を介するように前記前部２１を覆って固定される。
【００１３】
図２、３、４に示されているように、その上面３３１が前記接合部分２０より出っ張らないようにソケット部材３３が、前記取付孔２０１に嵌設されている。該ソケット部材３３の上面３３１の周縁から連続的に突出して真下に空間３３６を画成する周壁部３３２には、例えば係止ピン３３３、３３３、３３４が設けられ、前記係止ピン３３３、３３３、３３４それぞれは前記前部２１、前記後部２２に係止固定されている。前記ソケット部材３３の上面３３１に、前記コード３４５のプラグ３４９の差込端子３４０が差込まれる差込口３３５が設けられる。なお、該差込口３３５は、前記プラグ３４９の差込端子３４０に合せて設ければよくその寸法に特別な制限がない。
【００１４】
前記コード巻取り装置３は、前記ハウジング２の後部２２に取り付けられ、従来の技術のように前記電気機構に電気的に接続されている。該コード巻取り装置３はリール機構３４、コード３４５及び制御手段３４３を有する。前記リール機構３４は前記ハウジング２の前記後部２２内に設けられ、従来の方式で回転可能に設けられるリール部材３４１、及び前記リール部材３４１に設けられ、回転後前記リール部材３４１をその復元弾力で巻戻す渦巻ばね部材３４２をそなえている。前記リール部材３４１の内周面には、複数の角間隔をおいてラッチ歯３４６が形成される。前記コード３４５は、前記リール部材３４１の回りに巻き付けられ、該コードの一端にプラグ３４９を有し他端３４８が前記リール部材３４１に連結され、プラグ３４９は扁平状の差込端子３４０、３４０を有しサイズが前記後部２２の前記出入口２２２より大きく、該出入口２２２の開口に引掛って内へ入れないようになる。
【００１５】
前記仕切板３２に導電性を有する金属環３２４（図４、５参照）が設けられている。前記金属環３２４は対になっている極３２６、３２６をそなえており、図示しない電気機構に電気的に接続されている。また、前記リール部材３４１に前記金属環３２４と接触し前記コード３４５及び前記金属環３２４に電気的に接続するようコンタクト板３２５、３２５が設けられている。
【００１６】
前記制御手段３４３は、前記ソケット部材３３の差込口３３５の真下に位置するよう前記仕切板３２に上下移動可能に設けられる。前記制御手段３４３は、前記リール部材３４１の回転を制限するためのラッチユニット３４３１及び弾性バイアス力を付与する弾性手段であるばね３４４をそなえる。前記ラッチユニット３４３１は、前記リール部材３４１の複数の角間隔をおいたラッチ歯３４６のいずれかと係止可能な係止端３４３２と、該係止端３４３２と反対側に前記差込口３３５に面する押圧端３４３３と、前記係止端３４３２及び前記押圧端３４３３を相互接続する中間部３４３４とからなる。前記係止端３４３２及び押圧端３４３３は、前記中間部３４３４の両端から前記中間部３４３４に対して互いに反対の方向にそれぞれ外向きに突出し、前記係止端３４３２は前記リール部材３４１の方へ延伸して前記リール部材３４１に係止し、前記押圧端３４３３は前記差込口３３５の真下になるよう延伸してなる。前記弾性バイアス力を付与するためのばね３４４は、前記押圧端３４３３を前記差込口３３５向け推付る力を有するよう、前記ラッチユニット３４３１の押圧端３４３３及び前記仕切板３２の前記ばね座３２３の間に圧縮配置される。このように、前記ラッチユニット３４３１の係止端３４３２は前記リール部材３４１のラッチ歯３４６内に係止することにより、前記リール部材３４１のコード巻取りを停止させることができる。
【００１７】
なお、前記コード巻取り装置３は、前記ハウジング２の後部２２に格納されているが、電気機器のタイプによって適宜設けられ、その配置に限らない。また、前記出入口２２２は前記後部２２の他に設けられてよい。
【００１８】
前記構成によると、コード３４５は、前記リール部材３４１から前記出入口２２２をへて外側に所要の長さまで引出され、前記プラグ３４９を外部の電源（図示せず）に差込み使用される。前記コード３４５は前記リール部材３４１から引出され、リール部材３４１も同時に回転されるので、前記渦巻部材３４２が前記コード３４５を巻き取る付勢力を蓄える。
【００１９】
ここで、本発明による第１の実施例において前記コード３４５を巻き取って前記リール部材３４１に戻させる方法を説明する。本発明によるコード巻取り方法は以下の通りである。
【００２０】
ユーザは手などで前記コード３４５のプラグ３４９を前記電源から抜き出し、図５、６のように、前記ソケット部材３３へ差込み、前記プラグ３４９の差込端子３４０、３４０それぞれを前記ソケット部材３３の差込口３３５、３３５に嵌挿する。このとき、前記プラグ３４９の差込端子３４０、３４０は前記空間３３６へ入る。
【００２１】
前記プラグ３４９を押圧し続け、図５のように、前記差込端子３４０、３４０のいずれかが前記ラッチユニット３４３１の押圧端３４３３を押し、前記ラッチユニット３４３１全体を下側へ移動させると、前記ラッチユニット３４３１の係止端３４３２を前記リール部材３４１の前記ラッチ歯３４６から脱離させる。
【００２２】
前記ラッチユニット３４３１の係止端３４３２が前記リール部材３４１の前記ラッチ歯３４６から脱離すると、前記渦巻ばね３４２の弾性復元力によって前記リール部材３４１を回転させ、前記コード３４５が前記リール部材３４１に巻き取られる。この際、プラグ３４９に対する手の押圧動作を間欠的に行えば、前記コード３４５の巻取りが緩急自在に制御される。
【００２３】
そして、前記コード３４５の巻取りが終わると、前記手を前記プラグ３４９から離す。
【００２４】
第２の実施例．
次に、本発明の電気機器の第２の実施例は図７に示される。図示のように、前記第１の実施例と違って、前記ソケット部材３３は、前記コード３４５のプラグ３４９の差込端子３４０が嵌挿するように差込口３３５が一つ形成される。
【００２５】
第３の実施例．
また、図８は、本発明の電気機器の第３の実施例を概略示す。図示のように、前記第１の実施例と違って、前記ソケット部材３３は前記ハウジング２の後部２２の周壁部２２０の周縁に前記前部２１側へ突出し前記後部２２と一体になるよう設けられる。また、前記ソケット部材３３は差込口３３５が二つ形成される。
【図面の簡単な説明】
【００２６】
【図１】従来のコード巻取り装置をそなえた電気機器の全体斜視図。
【図２】本発明にかかる第1の実施例の電気機器の全体斜視図。
【図３】図２の電気機器の一部切欠した要部の組立分解斜視図。
【図４】図２の電気機器の一部切欠した要部断面図。
【図５】図２の電気機器の一部切欠した要部断面図。
【図６】図５の電気機器の全体斜視図。
【図７】本発明にかかる第２の実施例の電気機器の全体斜視図。
【図８】本発明にかかる第３の実施例の電気機器の一部切欠した要部の組立分解斜視図。
【符号の説明】
【００２７】
２．．．ハウジング
２０．．．接合部分
２０１．．．取付孔
２１１．．．切欠き
２１．．．前部
２１０．．．周壁部
２２．．．後部
２２ａ．．．平板部
２２０．．．周壁部
２２１．．．切欠き
２２２．．．出入口
３．．．コード巻取り装置
３２．．．仕切板
３２１．．．ブラケット
３２２．．．突耳
３２３．．．ばね座
３２４．．．金属環
３２５．．．コンタクト板
３２６．．．極
３３．．．ソケット部材
３３１．．．上面
３３２．．．周壁部
３３３、３３４．．．係止ピン
３３５．．．差込口
３３６．．．空間
３４．．．リール機構
３４０．．．差込端子
３４１．．．リール部材
３４２．．．渦巻ばね部材
３４３．．．制御手段
３４３１．．．ラッチユニット
３４３２．．．係止端
３４３３．．．押圧端
３４３４．．．中間部
３４４．．．ばね
３４５．．．電気コード
３４６．．．ラッチ歯
３４９．．．プラグ
【図１】
2005272104.tif 000003
【図２】
2005272104.tif 000004
【図３】
2005272104.tif 000005
【図４】
2005272104.tif 000006
【図５】
2005272104.tif 000007
【図６】
2005272104.tif 000008
【図７】
2005272104.tif 000009
【図８】
2005272104.tif 000010